(57)【要約】【課題】倉庫や工場内で使用する積層ラックの防震方法及び防震機能を備えた積層ラック並びに積層ラックの滑止粘着ゴムを得ることを目的とする。【解決手段】積層ラックの下部に奥行方向に延設され、床面に接触して足部の正面断面が逆Ｖ状又は逆Ｕ字状に形成された一対の両側梁部材を備える積層ラックにおいて、この両側梁部材の逆Ｖ状又は逆Ｕ字状内と床との間に滑止粘着ゴムを介在して積層ラックの防震方法及び防震機能を備えた。【選択図】図１
2014205565.tif 000002
【特許請求の範囲】
【請求項１】
正面から見た断面が、両側の側柱、棚台からなるＵの字状又は逆Ｕの字状の積層用ラックにおいて、少なくとも前記側柱の下部に奥行方向に延設され、床面に接触して足部の正面断面が逆Ｖ状又は逆Ｕ字状に形成された一対の両側梁部材を備える積層ラックの防震方法であって、
前記逆Ｖ状又は逆Ｕ字状両側梁部材と床との間に介在させる滑止粘着ゴムを設置させたことを特徴とする積層用ラックの防震方法。
【請求項２】
前記滑止粘着ゴムはエラストマー樹脂で構成することを特徴とする前記請求項１乃至２記載の積層用ラックの防震方法。
【請求項３】
正面から見た断面が、両側の側柱、棚台からなるＵの字状の積層用ラックであって、少なくとも前記側柱の下部に奥行方向に延設され、床面に接触して足部の正面断面が逆Ｖ状又は逆Ｕ字状に形成された一対の両側梁部材を備える積層ラックにおいて、
前記両側梁部材と床との間に介在させる滑止粘着ゴムを設置させたことを特徴とする防震機能を備えた積層用ラック。
【請求項４】
前記滑止粘着ゴムはエラストマー樹脂で構成することを特徴とする前記請求項３記載の防震機能を備えた積層用ラック。
【請求項５】
前記滑止粘着ゴムは、前記両側梁部材と床面の間に介在させる際、歪みしろを5~15mmとしたことを特徴とする前記請求項１乃至４記載の積層用ラックの防震方法又は防震機能を備えた積層用ラック。
【発明の詳細な説明】
【技術分野】
【０００１】
本発明は、倉庫内や工場内で使用される積層ラックの防震方法及び防震機能を備えた積層ラックさらには積層ラックの床上での滑止粘着ゴム関するものである。
【背景技術】
【０００２】
従来、倉庫内で物品を収容する際には、物品を載置して収容するとともに、当該物品を搬送しやすいように、フォークリフトなどで運搬可能な積層ラックが用いられている。例えば、一例として、特許文献１（図１、図２、図４、図８）に示すように、周囲が支柱で囲まれた略立方体形状のものが使用されている。これらのラックは特に特許文献１（図８）に示されるように、積み重ねて使用されている。これにより倉庫内の空間の有効スペースを効率的に利用することができる。
【先行技術文献】
【特許文献】
【０００３】
【特許文献１】特許第５０６０３７９号公報
【発明の概要】
【発明が解決しようとする課題】
【０００４】
しかし、近年は、多数の地震が発生しており特に、東日本大震災では、上述のような積層ラックが崩れたとの報告がなされている。特に特許文献１（図１、図８）で示される積層ラックは、脚部の逆Ｖ字状の係止レール１５と上部の係合レール１７が互いに系合合致して積層されるようになっている。
【０００５】
これら積層ラックは、正面から見て奥行き方向に伸びる両側辺梁部材８、９による脚部で床面に支えられていることが理解できる。従って、地震などの災害時に、これら積層ラックの正面からの横振れには、床との間で滑りにくく、積層ラックの正面からのみて前後方向の振れには、床とのあいだで滑りやすいことがわかった。
【０００６】
これら積層ラックが地震の際に床との間で完全に滑って振動を吸収すするか、滑りにくくして床に固定するかの方法を取らない限り、転倒することが実験でわかってきた。
【０００７】
また、積層ラックの正面からのみて前後方向の振れにより、床とのあいだで不安定な滑りにより、積層パレットの積層部分（脚部が逆Ｖ字状の係止レール１５と上部で重なる係止合レール１７）が離脱し、上部の積層ラックが脱落することもわかった。
【０００８】
そこで、本発明は、上記の点に鑑み、比較的簡単な構成を用いて、これらパレット積層の防震方法及び防震機能を備えた積層ラック並びに積層ラックの滑止粘着ゴムを得ることを目的とする。  
【課題を解決するための手段】
【０００９】
本発明の積層ラックの耐震方法は、正面から見た断面が、両側の側柱、棚台からなるＵの字状又は逆Ｕ字状の積層用ラックにおいて、少なくとも側柱の下部に奥行方向に延設され、床面に接触して足部の正面断面が逆Ｖ状又は逆Ｕ字状に形成された一対の両側梁部材を備える積層ラックの耐震方法であって、
両側梁部材と床との間に介在させる滑止粘着ゴムを設置させた。
【００１０】
また請求項２において滑止粘着ゴムはエラストマー樹脂で構成するようにしてなる。
【００１１】
さらに請求項３において、正面から見た断面が、両側の側柱、棚台からなるＵの字状の積層用ラックであって、少なくとも側柱の下部に奥行方向に延設され、床面に接触して足部の正面断面が逆Ｖ状又は逆Ｕ字状に形成された一対の両側梁部材を備える積層ラックにおいて、
両側梁部材と床との間に介在させる滑止粘着ゴムを設置させた積層用ラックとした。
【００１２】
請求項４における積層ラックは、滑止粘着ゴムはエラストマー樹脂で構成するようにしてなる。
【００１３】
また、滑止粘着ゴムは、両側梁部材と床面の間に介在させる際、歪みしろを
5~15mmとした前記請求項１乃至４記載の積層用ラックの耐震方法及び積層ラックの構造を提供するものである。
【発明の効果】
【００１４】
本発明の積層ラックの防震方法及び防震機能を備えた積層ラック並びに積層ラックの滑止粘着ゴムは、側柱の下部に奥行方向に延設され、床面に接触して足部の正面断面が逆Ｖ状又は逆Ｕ字状に形成された一対の両側梁部材を備える積層ラックの耐震方法において、両側梁部材となる正面断面が逆V字状又は逆U字状と床との間に介在させる滑止粘着ゴムを設置させたことにより粘着ゴムとラックが一体になりさらに床面とも密着し、積層ラックと床は滑ることなく安定して物品を収納できる。
【００１５】
特に粘着ゴムは、両側梁部材となる正面断面が逆V字状又は逆U字状と床との間に介在させるにあたり、歪代を持って突出して配置されており、床面に積層した時には、歪んで隙間がなくなり、床と粘着ゴムは、真空結着して積層ラックは、床面を滑らせずしっかり固定できる。
【図面の簡単な説明】
【００１６】
【図１】本発明に係る積層ラックの防震方法及び防振機能を備えた積層ラックの説明図。
【図２】本発明に係る積層ラックの積層状態説明図。
【図３】本発明に係る積層ラックに滑止粘着ゴムを介在させた正面説明図。
【図４】本発明に係る積層ラックに滑止粘着ゴムを介在させた側面説明図。
【図５】本発明に係る積層ラックの使用状態説明図。
【発明を実施するための形態】
【実施例１】
【００１７】
本発明の一実施例を示す図１、図２、図３、図４に基づいて、本発明を説明する。図の実施例による積層ラック１は、両側の側柱７、棚台８を有して、正面から見た断面がU字状の積層ラックの実施例である。この積層用ラック１において、少なくとも側柱７の下部に奥行方向に延設され、床面に接触して足部の正面断面が逆Ｖ状又は逆Ｕ字状に形成された一対の両側梁部材２を備える積層ラックの防震方法であって、逆Ｖ状又は逆Ｕ字状両側梁部材２と床との間に介在させる滑止粘着ゴム５を設置させた積層用ラックの防震方法である。
【００１８】
特に滑止粘着ゴム５はエラストマー樹脂で構成することで好適なものを提供できる。
【００１９】
また、両側の側柱７、棚台８からなるＵの字状の積層用ラックは、少なくとも側柱７の下部に奥行方向に延設され、床面に接触して足部の正面断面が逆Ｖ状又は逆Ｕ字状に形成された一対の両側梁部材２を備える積層ラックとして構成されるが、滑止粘着ゴム５はエラストマー樹脂で構成することが望ましいが、化学合成ゴムの他、天然ゴム系でも良い。
【００２０】
滑止粘着ゴム５は、積層ラック（の両側梁部材２の下面の４箇所）に設置されて（図５参照）おり、特に両側梁部材２足部の正面断面が逆Ｖ状又は逆Ｕ字状に形成された下側の設置されるが、図３に示されるように断面形状がハウス型に掲載されている。
【００２１】
そして滑止粘着ゴム５は、両側梁部材２と床面の間に介在させる際、歪代を5~15mmとした。この歪代により、積層用ラック１は、滑止粘着ゴム５は、がしっかりと床に接地すると共に、滑止粘着ゴム５も床面に真空状態が形成されて床面に密着するようになっている。
【００２２】
尚、本発明の積層用ラックの防震方法及び防震機能を備えた積層用ラックの使用方法において、図５に示したように、滑止粘着ゴム５が積層用ラック１の下面四隅に設置されるが、収納スペースとなる倉庫の床は、平で密着性を高めるために、あらかじめ床を平坦にして、ペンキなどで塗装し、鏡面処理されることが望ましい。その施工工事としては、少なくとも滑止粘着ゴム５が載置される部分１０のみであっても良い。
【００２３】
このようにして、積層用ラック１が倉庫内で固定設置されれば、地震などの揺れにおいて、積層用ラック１は不用意に滑ることなく安定し状態を保つことができる。積層用ラック１は、図２に示されるように積層されるが、積層用ラックの上部両側には逆V字状の係止レール１５が設けられ、積層用ラック１の下部に正面断面が逆Ｖ状の両側梁部材２が重なるようになっている。そして拘束金具１１により固定することで、振動や揺れが発生しても積層用ラック１は、積層状態を保つことができる。
【００２４】
拘束金具１１は、断面ハウス型となっており、係止ピン１３の先端が曲がっている。拘束金具１１の側部に設けられた貫通横穴１２により、先端が曲がった係止ピン１３でも容易に通過させることができ、さらに回転させれ事で、係止ピン１３が不用意に外れることはない。図中１４は、係止ピン１３必要以上に回転しないように設けたストッパーである。
【００２５】
上記の実施例において、積層用ラックの棚台は、実施例では下部に有したものであるが、上部に有したものであっても良い。本発明による積層用ラックの防震方法及び防震機能を備えた積層用ラックは、特に一対の足部となる両側梁部材２を備えられた積層ラックにおいて、この両側梁部材２の逆Ｖ状又は逆Ｕ字状に形成された空間に滑止粘着ゴム５を設けて、しかも最適な実施例として、歪代を5~15mmとし、積層用ラックが床に設置された時に、両側梁部材２がしっかり床に密着し、しかも、滑止粘着ゴム５も床に密着させることができるので、地震などの振動や揺れが発生しても積層用ラックは床に固定されるようにした。
【符号の説明】
【００２６】
１・・・積層ラック
２・・・両側梁部材
５・・・滑止粘着ゴム
６・・・歪代
７・・・側柱
８・・・棚台
【図１】
2014205565.tif 000003
【図２】
2014205565.tif 000004
【図３】
2014205565.tif 000005
【図４】
2014205565.tif 000006
【図５】
2014205565.tif 000007